【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
骨固定器具であって、
第１の方向に沿って細長く、第１の端部及び前記第１の方向に沿って前記第１の端部から離間した第２の端部を含むステムであって、少なくとも１つの第１の歯を更に含む、ステムと、
前記第１の方向に沿った前記ステムに対する並進に対して、前記ステムの前記第１の端部に固定される第１の固定部材と、
内側表面及び前記内側表面と反対の外側表面を画定する本体を含む第２の固定部材であって、前記第２の固定部材は、前記内側表面から前記外側表面まで前記本体を通って延在するスロットを少なくとも部分的に画定する内部表面を含み、前記スロットは、前記第２の固定部材が前記第１の方向に沿った前記ステムに沿って摺動可能であるように、前記ステムを受容するようにサイズ決定され、前記第２の固定部材は、前記内部表面から延在する少なくとも１つの第２の歯を更に含む、第２の固定部材と、
前記内部表面の可撓性よりも大きい可撓性を有する付勢部材であって、前記付勢部材は、ｉ）前記第２の固定部材が前記第１の固定部材に向かって前記ステムに沿って並進するとき、前記少なくとも１つの第２の歯が前記少なくとも１つの第１の歯に沿って摺動することを可能にするため、及びｉｉ）前記第２の固定部材が前記第１の固定部材から離れて前記ステムに沿って並進することを防止するために、前記少なくとも１つの第２の歯を前記少なくとも１つの第１の歯と相互係止させるため、前記少なくとも１つの第１の歯が前記少なくとも１つの第２の歯に係合するように、前記ステムが前記スロットを通って延在するとき、前記ステムを前記少なくとも１つの第２の歯に向かって付勢するように構成される、付勢部材と、
を備える、骨固定器具。
【請求項２】
前記付勢部材が、前記本体から前記スロット内に延在し、かつ前記少なくとも１つの第２の歯に面する、請求項１に記載の骨固定器具。
【請求項３】
前記付勢部材が、前記第２の固定部材の前記少なくとも１つの第２の歯に面する湾曲した当接表面を画定する、請求項２に記載の骨固定器具。
【請求項４】
前記付勢部材が、前記当接表面を画定する当接部材によって接合される第１及び第２の湾曲した脚部を含み、前記第１及び第２の脚部が、前記スロットを少なくとも部分的に画定する対向する表面から延在する、請求項３に記載の骨固定器具。
【請求項５】
前記ステムが、前記第１の方向に垂直の第２の方向に沿って対向する第１及び第２の表面を有し、前記ステムが、前記第１の表面からのみ延在する複数の歯を含み、前記付勢部材が、前記ステムが前記第１の方向に沿って前記スロットを通して挿入されるとき、前記第２の表面に対して力を印加するように構成される、請求項２〜４のいずれか一項に記載の骨固定器具。
【請求項６】
前記ステムが、前記第１の端部における第１の連結部材、及び前記第１の連結部材から離間した場所において前記第１及び第２の表面からそれぞれ延在する一対の第２の連結部材を更に含み、第１及び第２の間隙が前記第１の連結部材と前記第２の連結部材との間でそれぞれ画定され、前記第１及び第２の間隙が、前記第１の固定部材の一部を受容して、それによって前記第１の固定部材を前記ステムに連結する、請求項５に記載の骨固定器具。
【請求項７】
前記ステムが、前記第１の方向に垂直の第２の方向に沿って対向する第１及び第２の表面を有し、前記ステムが、前記第１の表面からのみ延在する複数の歯を含み、前記付勢部材が、前記第２の表面から外へ延在する、請求項１に記載の骨固定器具。
【請求項８】
前記付勢部材が、前記第２の表面から外へ延在する一対の可撓性指部を含み、前記指部が、互いから離間し、かつ互いに向かって延在する、請求項７に記載の骨固定器具。
【請求項９】
骨固定器具のための係止部材であって、
外側表面、第１の方向に沿って前記外側表面と反対の内側骨接触表面、前記内側骨接触表面と前記外側表面との間に延在する内部表面、及び前記内部表面から延在する少なくとも１つの係止歯を画定する、係止本体と、
前記係止本体によって支持され、前記第１の方向と実質的に垂直である第２の方向に沿って屈曲するように構成されている付勢部材であって、前記内部表面に面する付勢表面を画定する、付勢部材と、
を備え、
前記係止本体が歯付部材を受容するように構成され、ｉ）前記歯付部材が、前記内側表面から前記外側表面に延在する方向に沿って前記係止本体を通って並進することを可能にするため、及びｉｉ）前記歯付部材が、前記外側表面から前記内側表面に延在する方向に沿って前記係止本体を通って並進することを防止するため、前記付勢表面が前記歯付部材に当接して、それによって前記歯付部材を前記少なくとも１つの係止歯に向かって付勢する、係止部材。
【請求項１０】
前記内部表面が、前記内側骨接触表面から前記外側表面に延在するスロットを少なくとも部分的に画定する、請求項９に記載の係止部材。
【請求項１１】
前記スロットが、第１及び第２の対向する表面を有するステムを受容するように構成されるステム受容スロットであり、前記ステムが、前記第１の表面からのみ延在する複数の歯を含み、前記付勢部材が、前記ステムが前記スロットを通して挿入されるときに、前記第２の表面に対して力を印加するように構成される、請求項１０に記載の係止部材。
【請求項１２】
前記付勢表面が、湾曲した当接表面である、請求項９〜１１のいずれか一項に記載の係止部材。
【請求項１３】
前記付勢部材が、前記当接表面を画定する当接部材によって接合される第１及び第２の湾曲した脚部を含み、前記第１及び第２の脚部が、前記スロットを少なくとも部分的に画定する対向する表面から延在する、請求項１２に記載の係止部材。
【請求項１４】
２つの係止歯が、前記内部表面から前記スロット内に延在する、請求項１０に記載の係止部材。
【請求項１５】
前記係止本体が、断面において台形形状を有するスロットを画定し、前記スロットが、前記歯付部材を受容するように構成される、請求項９〜１４のいずれか一項に記載の係止部材。
【請求項１６】
骨固定器具であって、
第１の端部、及び第１の方向に沿って前記第１の端部から離間した第２の端部を含むステムであって、前記ステムが、ステム本体、及び前記ステム本体から外へ延在し、かつ前記第１の方向に沿って互いから離間した複数の歯を更に含み、前記ステムが、前記第１の方向に実質的に垂直な第２の方向に沿った、前記ステム本体の外部表面から前記複数の歯のうちの少なくとも１つの最も外側の表面までの最大幅を画定する、ステムと、
前記第１の端部に近接する、前記ステムに連結される第１の部材と、
部材本体を含む第２の部材であって、前記第２の部材が、
前記第１の方向に沿って前記部材本体を通って延在するスロットであって、前記部材本体の少なくとも１つの内部表面によって画定される、スロットと、
前記少なくとも１つの内部表面から前記スロット内に延在する少なくとも１つの歯と、
前記部材本体から前記スロット内に延在する付勢部材であって、前記第２の部材が、前記第２の方向に沿った、前記付勢部材と前記内部表面との間の部材距離を画定し、前記付勢部材が、第１の位置と第２の位置との間で可撓性であり、前記第１の位置にあるとき、前記部材距離が前記最大幅よりも小さくなる、付勢部材と、を備える、第２の部材と、
を備え、
前記ステムが前記付勢部材を前記第１の位置から前記第２の位置に屈曲させて、それによって前記部材距離が前記最大幅と実質的に等しくなるように、前記スロットが、前記ステムを受容するように構成され、前記複数の歯のうちの少なくとも１つを前記少なくとも１つの歯と相互係止するために、前記付勢部材が前記ステムを前記内部表面に向かって付勢する、骨固定器具。
【請求項１７】
ｉ）前記第２の部材が前記第１の部材に向かって前記ステムに沿って並進することを可能にするため、及びｉｉ）前記第２の部材が前記第１の部材から離れて前記ステムに沿って並進することを防止するため、前記付勢部材が前記ステムを前記内部表面に向かって付勢する、請求項１６に記載の骨固定器具。
【請求項１８】
前記付勢部材が、前記第１の位置に向かって弾性的に付勢される、請求項１７に記載の骨固定器具。
【請求項１９】
骨固定器具のための係止部材であって、前記係止部材は、
外側表面、前記外側表面と反対の内側骨接触表面、前記内側骨接触表面と前記外側表面との間に延在する内部表面を画定する、係止本体と、
前記係止本体に移動可能に連結される歯付本体であって、前記内部表面に面する係合側、及び前記係合側と反対にある付勢側を有する、歯付本体と、
前記係止本体によって支持される付勢部材であって、前記付勢側に面する付勢表面を画定する、付勢部材と、
を備え、
前記係止本体が歯付部材を受容するように構成され、ｉ）前記歯付部材が、前記内側骨接触表面から前記外側表面に延在する方向に沿って前記係止本体を通って並進することを可能にするため、及びｉｉ）前記歯付部材が、前記外側表面から前記内側骨接触表面に延在する方向に沿って前記係止本体を通って並進することを防止するため、前記付勢表面が前記付勢側に当接して、それによって前記歯付本体を前記歯付部材に向かって移動させる、係止部材。
【請求項２０】
前記歯付本体が、枢軸で前記係止本体に回転可能に連結され、前記係止本体が前記歯付部材を受容するとき、前記付勢表面が前記付勢側に当接して、それによって前記歯付本体を前記枢軸周囲で回転させる、請求項１９に記載の係止部材。
【請求項２１】
前記枢軸が前記内側骨接触表面に近接して配設され、前記付勢表面が前記外側表面に近接して前記付勢側と当接する、請求項２０に記載の係止部材。
【請求項２２】
前記歯付本体が、前記内部表面に向かって前記係合側から延在する少なくとも１つの歯を含む、請求項２０に記載の係止部材。